(57)【特許請求の範囲】
【請求項１】
出力装置と受付装置とを具備し、
前記出力装置は、
画像を出力する画像出力手段と、
識別情報を取得する識別情報取得手段と、
前記識別情報取得手段で取得した識別情報の前記画像内への埋め込み位置を取得する埋め込み位置取得手段と、
前記埋め込み位置取得手段で取得した前記画像内の埋め込み位置に前記識別情報を埋め込み、更に該埋め込み位置の周辺に付加情報を埋め込む埋め込み手段と
を具備し、
前記受付装置は、
前記出力装置で出力された前記識別情報および前記付加情報が埋め込まれている画像を受け付ける画像受付手段と、
前記識別情報の前記画像受付手段により受け付けた画像内への埋め込み位置、および認証用の識別情報の入力を受け付ける埋め込み位置・識別情報入力受付手段と、
前記埋め込み位置・識別情報入力受付手段で入力を受け付けた前記画像内の埋め込み位置から情報を抽出する情報抽出手段と、
前記情報抽出手段で抽出した情報と前記埋め込み位置・識別情報入力受付手段で入力を受け付けた認証用の識別情報とが一致する場合は認証成功とし、前記情報抽出手段で抽出した情報と前記付加情報とが一致する場合は前記画像内の埋め込み位置の再入力を許可し、前記情報抽出手段で抽出した情報と前記埋め込み位置・識別情報入力受付手段で入力を受け付けた認証用の識別情報とが一致しない場合、または前記前記情報抽出手段で情報を抽出できない場合は認証失敗とする認証手段と
を具備することを特徴とする情報処理システム。
【請求項２】
識別情報が埋め込まれ、更に該識別情報が埋め込まれた埋め込み位置の周辺に付加情報が埋め込まれた画像を受け付ける画像受付手段と、
前記識別情報の前記画像内への埋め込み位置、および認証用の識別情報の入力を受け付ける埋め込み位置・識別情報入力受付手段と、
前記埋め込み位置・識別情報入力受付手段で入力を受け付けた前記画像内の埋め込み位置から情報を抽出する情報抽出手段と、
前記情報抽出手段で抽出した情報と前記埋め込み位置・識別情報入力受付手段で入力を受け付けた認証用の識別情報とが一致する場合は認証成功とし、前記情報抽出手段で抽出した情報と前記付加情報とが一致する場合は前記画像内の埋め込み位置の再入力を許可し、前記情報抽出手段で抽出した情報と前記埋め込み位置・識別情報入力受付手段で入力を受け付けた認証用の識別情報とが一致しない場合、または前記前記情報抽出手段で情報を抽出できない場合は認証失敗とする認証手段と
を具備することを特徴とする受付装置。
【請求項３】
コンピュータを、
識別情報が埋め込まれ、更に該識別情報が埋め込まれた埋め込み位置の周辺に付加情報が埋め込まれた画像を受け付ける画像受付手段、
前記識別情報の前記画像内への埋め込み位置、および認証用の識別情報の入力を受け付ける埋め込み位置・識別情報入力受付手段、
前記埋め込み位置・識別情報入力受付手段で入力を受け付けた前記画像内の埋め込み位置から情報を抽出する情報抽出手段、
前記情報抽出手段で抽出した情報と前記埋め込み位置・識別情報入力受付手段で入力を受け付けた認証用の識別情報とが一致する場合は認証成功とし、前記情報抽出手段で抽出した情報と前記付加情報とが一致する場合は前記画像内の埋め込み位置の再入力を許可し、前記情報抽出手段で抽出した情報と前記埋め込み位置・識別情報入力受付手段で入力を受け付けた認証用の識別情報とが一致しない場合、または前記前記情報抽出手段で情報を抽出できない場合は認証失敗とする認証手段
として機能させるための情報解析プログラム。
【発明の詳細な説明】
【技術分野】
【０００１】
本発明は、情報処理システム、受付装置、情報解析プログラムに関する。
【背景技術】
【０００２】
近年、文書のセキュリティに関する意識の高まりから種々の技術が開発されている。
【０００３】
例えば、複写による偽造が禁止されている文書データに基づいて画像を生成する際に、出力されたプリントの流通経路を容易に追跡するため、文書の背景にコピーすると消失／出現する潜像画像と、付加情報を符号化して生成した機械可読コード画像を合成して出力する画像生成方法および画像生成装置がある（例えば、特許文献１参照。）。
【０００４】
例えば、複写機等の画像処理装置において、実用性を損なうことなく、機密とすべき画像データの不正流出を有効に防止するため、画像データへの付加情報埋め込みに際して、所定条件を満たす領域を検索し、付加情報を埋め込む画像処理装置および画像処理方法がある（例えば、特許文献２参照。）。
【０００５】
例えば、付加情報が埋め込まれた位置の特定から、付加情報の埋め込み方法や、その埋め込まれた付加情報の内容が不正に暴かれてしまう等を防止するため、本来の情報の周辺に擬似乱数で生成したダミー情報を埋め込む画像処理装置及び方法及び記録媒体がある（例えば、特許文献３参照。）。
【特許文献１】特開２００１−３４６０３２号公報
【特許文献２】特開２００４−３４３７８０号公報
【特許文献３】特開２００３−１１０８４２号公報
【発明の開示】
【発明が解決しようとする課題】
【０００６】
本発明は、高精度の本人認証が可能な情報処理システム、受付装置、情報解析プログラムを提供することを目的とする。
【課題を解決するための手段】
【０００７】
上記目的を達成するため、請求項１の発明の情報処理システムは、出力装置と受付装置とを具備し、前記出力装置は、画像を出力する画像出力手段と、識別情報を取得する識別情報取得手段と、前記識別情報取得手段で取得した識別情報の前記画像内への埋め込み位置を取得する埋め込み位置取得手段と、前記埋め込み位置取得手段で取得した前記画像内の埋め込み位置に前記識別情報を埋め込み、更に該埋め込み位置の周辺に付加情報を埋め込む埋め込み手段とを具備し、前記受付装置は、前記出力装置で出力された前記識別情報および前記付加情報が埋め込まれている画像を受け付ける画像受付手段と、前記識別情報の前記画像受付手段により受け付けた画像内への埋め込み位置、および認証用の識別情報の入力を受け付ける埋め込み位置・識別情報入力受付手段と、前記埋め込み位置・識別情報入力受付手段で入力を受け付けた前記画像内の埋め込み位置から情報を抽出する情報抽出手段と、前記情報抽出手段で抽出した情報と前記埋め込み位置・識別情報入力受付手段で入力を受け付けた認証用の識別情報とが一致する場合は認証成功とし、前記情報抽出手段で抽出した情報と前記付加情報とが一致する場合は前記画像内の埋め込み位置の再入力を許可し、前記情報抽出手段で抽出した情報と前記埋め込み位置・識別情報入力受付手段で入力を受け付けた認証用の識別情報とが一致しない場合、または前記前記情報抽出手段で情報を抽出できない場合は認証失敗とする認証手段とを具備するように構成される。
【０００８】
また、請求項２の発明の受付装置は、識別情報が埋め込まれ、更に該識別情報が埋め込まれた埋め込み位置の周辺に付加情報が埋め込まれた画像を受け付ける画像受付手段と、前記識別情報の前記画像内への埋め込み位置、および認証用の識別情報の入力を受け付ける埋め込み位置・識別情報入力受付手段と、前記埋め込み位置・識別情報入力受付手段で入力を受け付けた前記画像内の埋め込み位置から情報を抽出する情報抽出手段と、前記情報抽出手段で抽出した情報と前記埋め込み位置・識別情報入力受付手段で入力を受け付けた認証用の識別情報とが一致する場合は認証成功とし、前記情報抽出手段で抽出した情報と前記付加情報とが一致する場合は前記画像内の埋め込み位置の再入力を許可し、前記情報抽出手段で抽出した情報と前記埋め込み位置・識別情報入力受付手段で入力を受け付けた認証用の識別情報とが一致しない場合、または前記前記情報抽出手段で情報を抽出できない場合は認証失敗とする認証手段とを具備するように構成される。
【０００９】
また、請求項３の発明の情報解析プログラムは、コンピュータを、識別情報が埋め込まれ、更に該識別情報が埋め込まれた埋め込み位置の周辺に付加情報が埋め込まれた画像を受け付ける画像受付手段、前記識別情報の前記画像内への埋め込み位置、および認証用の識別情報の入力を受け付ける埋め込み位置・識別情報入力受付手段、前記埋め込み位置・識別情報入力受付手段で入力を受け付けた前記画像内の埋め込み位置から情報を抽出する情報抽出手段、前記情報抽出手段で抽出した情報と前記埋め込み位置・識別情報入力受付手段で入力を受け付けた認証用の識別情報とが一致する場合は認証成功とし、前記情報抽出手段で抽出した情報と前記付加情報とが一致する場合は前記画像内の埋め込み位置の再入力を許可し、前記情報抽出手段で抽出した情報と前記埋め込み位置・識別情報入力受付手段で入力を受け付けた認証用の識別情報とが一致しない場合、または前記前記情報抽出手段で情報を抽出できない場合は認証失敗とする認証手段として機能させるためのものとなる。
【発明の効果】
【００１２】
請求項１記載の発明は、ユーザ情報の埋め込み位置の周辺が指定された場合でもユーザに再認証の機会を与えることが可能となる。
【００１３】
請求項２記載の発明は、ユーザ情報の埋め込み位置の周辺が指定された場合でもユーザに再認証の機会を与えることが可能となる。
【００１４】
請求項３記載の発明は、ユーザ情報の埋め込み位置の周辺が指定された場合でもユーザに再認証の機会を与えることが可能となる。
【発明を実施するための最良の形態】
【００１５】
以下、本発明に係る情報処理システム、受付装置、情報解析プログラムの実施の形態について添付図面を参照して詳細に説明する。
【００１６】
図１は、情報処理システムの全体構成の一例を示す図である。
【００１７】
図１に示すように、情報処理システムは、ファイル（テキストファイル、バイナリファイル等）を画像に変換して出力する出力装置（例えば、プリンタでは画像を用紙に印刷、ＰＣでは画像をプリンタ等に送信）１と、出力装置１で出力した文書２を画像として受け付ける受付装置（例えば、複写機、スキャナ等）３とを具備して構成されている。
【００１８】
なお、出力装置１がプリンタの場合、画像は用紙に印刷されて出力され、出力装置１がＰＣの場合、画像はプリンタに送信され、画像は当該プリンタで用紙に印刷されて出力される。
【００１９】
出力装置１の機能的な構成について説明する。
【００２０】
図１に示すように、出力装置１は、ユーザ情報取得部４、埋め込み位置取得部５、情報埋め込み部６、埋め込み位置通知部７、画像出力部８を具備して構成される。
【００２１】
ユーザ情報取得部４は、出力装置１内のファイルの画像出力が指示された際に、当該指示したユーザに関する識別情報（以後、ユーザ情報と称する）を取得する処理を行う。
【００２２】
ユーザ情報の取得として、例えば、図２に示すように、画像出力を指示したユーザに対してユーザ情報の入力を要求し、当該ユーザが要求に応じて入力したユーザ情報を取得する構成、出力装置１が記憶しているユーザ情報から画像出力を指示したユーザのユーザ情報を取得する構成、ネットワーク等を介して接続するユーザ情報管理装置等から画像出力を指示したユーザのユーザ情報を取得する構成等がある。
【００２３】
埋め込み位置取得部５は、ユーザ情報取得部４で取得したユーザ情報を画像内の埋め込み位置を取得する処理を行う。
【００２４】
埋め込み位置の取得としては、例えば、図２に示すように、画像出力を指示したユーザに対して埋め込み位置の入力を要求し、当該ユーザが要求に応じて入力した埋め込み位置を取得する構成、出力装置１が記憶している埋め込み位置を取得する構成、ネットワーク等を介して接続する埋め込み位置管理装置等から埋め込み位置を取得する構成等がある。
【００２５】
なお、図２（ａ）に示す構成は画像のたての座標とよこの座標とを指定することで埋め込み位置を指定する一例であり、図２（ｂ）に示す構成は画像内において埋め込みが可能な位置を全て表示し、表示された位置から埋め込み位置を選択する一例である。また、図２（ｂ）に示す構成において、画像内の埋め込みが可能な位置を破線等で区切らなくても良い。
【００２６】
情報埋め込み部６は、ファイルから変換した画像内の埋め込み位置（埋め込み位置取得部４で取得した）に、ユーザ情報を埋め込む処理を行う。
【００２７】
例えば、図２（ａ）に示すように埋め込み位置として、たての座標に「５」、よこの座標に「５」が入力された場合、図３に示すように画像の埋め込み位置（たての座標「５」、よこの座標「５」）にユーザ情報が埋め込まれる。
【００２８】
埋め込み位置通知部７は、ユーザ情報が埋め込まれた埋め込み位置をユーザに対して通知する処理を行う。
【００２９】
埋め込み位置の通知としては、図４に示すように、埋め込み位置を出力装置１が有する表示装置等に表示する構成、埋め込み位置を電子メール等でユーザの電子メールアドレス等に送信する構成等がある。
【００３０】
なお、図４（ａ）に示す構成は埋め込み位置を画像のたての座標とよこの座標とで示す一例であり、図４（ｂ）に示す構成は画像内において埋め込みが可能な位置を全て表示し、埋め込まれた位置をハイライト表示等で示す一例である。また、図４（ｂ）に示す構成において、画像内の埋め込み位置を破線等で区切らなくても良い。
【００３１】
画像出力部８は、ユーザ情報が埋め込まれた画像を出力する処理を行う。
【００３２】
画像の出力としては、画像を用紙に印刷する構成、画像をプリンタ等に送信する構成等がある。
【００３３】
なお、上述したユーザ情報取得部４、埋め込み位置取得部５、情報埋め込み部６、埋め込み位置通知部７を機能として具備する情報埋め込みプログラムを汎用のコンピュータまたはプリンタに組み込んだ構成を適用することも可能である。その際には、コンピュータまたはプリンタの記憶部に情報埋め込みプログラムが記憶され、コンピュータまたはプリンタのＣＰＵが記憶部に記憶されている情報埋め込みプログラムを実行することになる。また、情報埋め込みプログラムは、例えば、各種メモリ、光ディスク等の記憶媒体に記憶して提供することが可能であり、例えば、ネットワーク等の通信回線を介して配信することも可能である。
【００３４】
次に、受付装置３の機能的な構成について説明する。
【００３５】
図１に示すように、受付装置３は、画像入力部９、埋め込み位置・ユーザ情報入力部１０、情報抽出部１１、認証処理部１２を具備して構成される。
【００３６】
画像入力部９は、出力装置１で出力された文書上の画像を撮像素子で読み取り、画像として入力を受け付ける処理を行う。
【００３７】
埋め込み位置・ユーザ情報入力部１０は、ユーザがハードキー等を操作することで認証用のユーザ情報を入力するとともに、ユーザ情報が埋め込まれている画像内の埋め込み位置を入力する処理を行う。
【００３８】
ユーザ情報および埋め込み位置の入力としては、図５に示すように、画像入力を指示したユーザに対して埋め込み位置の入力を要求し、当該ユーザが要求に応じて埋め込み位置を入力する構成がある。
【００３９】
なお、図５（ａ）に示す構成は画像のたての座標とよこの座標とを入力することで埋め込み位置を指定する一例であり、図５（ｂ）に示す構成は画像内において埋め込みが可能な位置を全て表示し、表示された位置から埋め込み位置を指定する一例である。また、図５（ｂ）に示す構成において、画像内の埋め込みが可能な位置を破線等で区切らなくても良い。
【００４０】
情報抽出部１１は、画像内の埋め込み位置（埋め込み位置・ユーザ情報入力部１０で入力された）からユーザ情報を抽出する処理を行う。
【００４１】
認証処理部１２は、情報抽出部１１が抽出したユーザ情報が埋め込み位置・ユーザ情報入力部１０で入力された認証用のユーザ情報と一致するか否か確認する処理を行う。ここで、一致した場合は認証成功となり、画像入力部９が入力した画像に対する処理（例えば、受付装置３が複写機の場合は画像の印刷、受付装置３がスキャナの場合は画像の記憶）が許可される。また、情報抽出部１１がユーザ情報を抽出できなかった場合、または埋め込み位置・ユーザ情報入力部１０で入力された認証用のユーザ情報とが一致しなかった場合、認証失敗となり、画像入力部９が入力した画像に対する処理が禁止され、画像が消去される。
【００４２】
なお、上述した埋め込み位置・ユーザ情報入力部１０、情報抽出部１１、認証処理部１２を機能として具備する情報解析プログラムを汎用の複写機またはスキャナに組み込んだ構成を適用することも可能である。その際には、複写機またはスキャナの記憶部に情報解析プログラムが記憶され、複写機またはスキャナのＣＰＵが記憶部に記憶されている情報解析プログラムを実行することになる。また、情報解析プログラムは、例えば、各種メモリ、光ディスク等の記憶媒体に記憶して提供することが可能であり、例えば、ネットワーク等の通信回線を介して配信することも可能である。
【００４３】
また、１台の装置が出力装置１の機能と受付装置３の機能とを併せ持つ構成でも適用可能であり、出力機能と受付機能とを併せ持つ汎用の装置（例えば、スキャナ機能を有するプリンタ等）に情報埋め込みプログラムおよび情報解析プログラムを組み込んだ構成でも適用可能である。
【００４４】
次に、出力装置１で行われる処理の流れの一例について図６に示すフローチャートを参照して説明する。
【００４５】
出力装置が画像出力の指示を受け付けると（Ｓ６０１）、ユーザ情報取得部がユーザ情報を取得し（Ｓ６０２）、埋め込み位置取得部が埋め込み位置を取得し（Ｓ６０３）、情報埋め込み部がユーザ情報を画像内の埋め込み位置に埋め込み（Ｓ６０４）、埋め込み位置通知部がユーザ情報を埋め込んだ埋め込み位置を通知し（Ｓ６０５）、画像出力部が画像を出力し（Ｓ６０６）、処理手順を終了する。
【００４６】
次に、受付装置で行われる処理の流れの一例について図７に示すフローチャートを参照して説明する。
【００４７】
受付装置が出力装置で出力された文書の画像入力の指示を受け付けると（Ｓ７０１）、画像入力部が画像を入力し（Ｓ７０２）、埋め込み位置・ユーザ情報入力部から埋め込み位置および認証用のユーザ情報が入力され（Ｓ７０３）、情報抽出部が画像内の埋め込み位置・ユーザ情報入力部で入力された埋め込み位置から情報を抽出し（Ｓ７０４）、ユーザ情報を抽出できた場合（Ｓ７０５でＹＥＳ）、Ｓ７０６に進み、また、ユーザ情報を抽出できなかった場合（Ｓ７０５でＮＯ）、Ｓ７０９に進む。
【００４８】
ユーザ情報を抽出できた場合（Ｓ７０５でＹＥＳ）、認証処理部が情報抽出部で抽出したユーザ情報と埋め込み位置・ユーザ情報入力部で入力された認証用のユーザ情報とを比較し（Ｓ７０６）、両者が一致した場合（Ｓ７０７でＹＥＳ）、Ｓ７０８に進み、また、両者が一致しなかった場合（Ｓ７０７でＮＯ）、Ｓ７０９に進む。
【００４９】
両者が一致した場合（Ｓ７０７でＹＥＳ）、認証成功となり（Ｓ７０８）、処理手順を終了する。
【００５０】
Ｓ７０５においてユーザ情報を抽出できなかった場合（Ｓ７０５でＮＯ）、Ｓ７０７において両者が一致しなかった場合（Ｓ７０７でＮＯ）、認証失敗となり（Ｓ７０９）、受付装置は画像入力部で入力した画像を消去し（Ｓ７１０）、処理手順を終了する。
【００５１】
次に、指定された埋め込み位置にユーザ情報を埋め込むとともに、当該埋め込み位置以外の位置に他の付加情報を埋め込む構成について、埋め込み位置の周辺領域を指定した場合、直ぐに認証失敗とせずにもう一度埋め込み位置の指定をやり直すという具体例を参照して説明する。
【００５２】
このような構成の場合、出力装置１の情報埋め込み部６は、図８に示す情報埋め込み処理の規則に従って、ファイルから変換した画像内の埋め込み位置（埋め込み位置取得部５で取得した）に、ユーザ情報取得部４で取得したユーザ情報を埋め込むとともに、当該埋め込み位置の周辺領域に認証やり直しを示す付加情報を埋め込む。
【００５３】
例えば、図２（ａ）に示すように埋め込み位置として、たての座標に「５」、よこの座標に「５」が入力された場合、図９に示すように画像の埋め込み位置（たての座標「５」、よこの座標「５」）にユーザ情報が埋め込まれ、画像の埋め込み位置の周辺領域（｛たての座標，よこの座標｝＝｛４，４｝と｛４，５｝と｛４，６｝と｛５，４｝と｛５，６｝と｛６，４｝と｛６，５｝と｛６，６｝）に認証やり直しを示す付加情報が埋め込まれる。なお、周辺領域の設定は図９に示す例に限定する必要はなく、周辺領域の数を増やしても良いし、減らしても良い。
【００５４】
従って、受付装置３で画像を入力した際に、操作ミス等が原因で埋め込み位置の周辺領域を指定したとしても、直ぐに認証失敗とせずにもう一度埋め込み位置の指定をやり直すことができる。
【００５５】
次に、埋め込み位置の周辺領域に認証やり直しを示す付加情報を埋め込む場合に出力装置１で行われる処理の流れの一例について図１０に示すフローチャートを参照して説明する。
【００５６】
出力装置が画像出力の指示を受け付けると（Ｓ１００１）、ユーザ情報取得部がユーザ情報を取得し（Ｓ１００２）、埋め込み位置取得部が埋め込み位置を取得し（Ｓ１００３）、情報埋め込み部がユーザ情報を画像内の埋め込み位置に埋め込み（Ｓ１００４）、付加情報を画像内の埋め込み位置の周辺領域に埋め込み（Ｓ１００５）、埋め込み位置通知部がユーザ情報を埋め込んだ埋め込み位置を通知し（Ｓ１００６）、画像出力部が画像を出力し（Ｓ１００７）、処理手順を終了する。
【００５７】
次に、埋め込み位置の周辺領域に認証やり直しを示す付加情報を埋め込む場合に受付装置３で行われる処理の流れの一例について図１１に示すフローチャートを参照して説明する。
【００５８】
受付装置が出力装置で出力された文書の画像入力の指示を受け付けると（Ｓ１１０１）、画像入力部が画像を入力し（Ｓ１１０２）、埋め込み位置・ユーザ情報入力部から埋め込み位置および認証用のユーザ情報が入力され（Ｓ１１０３）、情報抽出部が画像内の埋め込み位置・ユーザ情報入力部で入力された埋め込み位置から情報を抽出し（Ｓ１１０４）、情報を抽出できた場合（Ｓ１１０５でＹＥＳ）、Ｓ１１０６に進み、また、情報を抽出できなかった場合（Ｓ１１０５でＮＯ）、Ｓ１１１１に進む。
【００５９】
情報を抽出できた場合（Ｓ１１０５でＹＥＳ）、認証処理部が情報抽出部で抽出した情報と画像内の埋め込み位置・ユーザ情報入力部で入力された認証用のユーザ情報とを比較し（Ｓ１１０６）、両者が一致した場合（Ｓ１１０７でＹＥＳ）、Ｓ１１０８に進み、また、両者が一致しなかった場合（Ｓ１１０７でＮＯ）、Ｓ１１０９に進む。
【００６０】
両者が一致した場合（Ｓ１１０７でＹＥＳ）、認証成功となり（Ｓ１１０８）、処理手順を終了する。
【００６１】
また、Ｓ１１０７において両者が一致しなかった場合（Ｓ１１０７でＮＯ）、抽出した情報がどのような情報であるか解析し、情報が認証やり直しを示す付加情報であった場合（Ｓ１１０９でＹＥＳ）、Ｓ１１１０に進み、また、情報が認証やり直しを示す付加情報ではなかった場合（Ｓ１１０９でＮＯ）、Ｓ１１１１に進む。
【００６２】
情報が認証やり直しを示す付加情報であった場合（Ｓ１１０９でＹＥＳ）、受付装置が埋め込み位置の再入力を指示し（Ｓ１１１０）、Ｓ１１０３に戻る。
【００６３】
Ｓ１１０５において情報を抽出できなかった場合（Ｓ１１０５でＮＯ）、または情報が認証やり直しを示す付加情報ではなかった場合（Ｓ１１０９でＮＯ）、認証失敗となり（Ｓ１１１１）、受付装置は画像入力部で入力した画像を消去し（Ｓ１１１２）、処理手順を終了する。
【００６４】
次に、複数のユーザ情報を別々の埋め込み位置に埋め込む構成について、文書に対して与えられている編集、印刷、閲覧等の権限が異なる複数のユーザ情報を、複数の埋め込み位置に埋め込むという具体例を参照して説明する。
【００６５】
このような構成の場合、出力装置１の情報埋め込み部６は、図１２に示す情報埋め込み処理の規則に従って、各ユーザ情報を画像内の指定の領域に埋め込む。
【００６６】
例えば、図１２に示す情報埋め込み処理の規則に従って各ユーザ情報を画像に埋め込んだ場合、図１３に示すように、編集、印刷、閲覧が可能なユーザのユーザ情報は位置１（たての座標「５」、よこの座標「５」）に埋め込まれ、印刷、閲覧が可能なユーザのユーザ情報は位置２（たての座標「１２」、よこの座標「２」）に埋め込まれ、閲覧が可能なユーザのユーザ情報は位置３（たての座標「１２」、よこの座標「８」）に埋め込まれる。
【図面の簡単な説明】
【００６７】
【図１】情報処理システムの全体構成の一例を示す図である。
【図２】ユーザ情報および埋め込み位置の入力例を示す図である。
【図３】ユーザ情報の埋め込み位置について説明する図である。
【図４】埋め込み位置の通知例を示す図である。
【図５】認証用のユーザ情報および埋め込み位置の入力例を示す図である。
【図６】出力装置で行われる処理の流れを示すフローチャートである。
【図７】受付装置で行われる処理の流れを示すフローチャートである。
【図８】情報埋め込み処理の規則の一例を示す図である。
【図９】ユーザ情報の埋め込み位置について説明する図である。
【図１０】埋め込み位置の周辺領域に認証やり直しを示す付加情報を埋め込む場合に出力装置で行われる処理の流れの一例を示すフローチャートである。
【図１１】埋め込み位置の周辺領域に認証やり直しを示す付加情報を埋め込む場合に受付装置で行われる処理の流れの一例を示すフローチャートである。
【図１２】情報埋め込み処理の規則の一例を示す図である。
【図１３】ユーザ情報の埋め込み位置について説明する図である。
【符号の説明】
【００６８】
１    出力装置
２    文書
３    受付装置
４    ユーザ情報取得部
５    埋め込み位置取得部
６    情報埋め込み部
７    埋め込み位置通知部
８    画像出力部
９    画像入力部
１０    埋め込み位置・ユーザ情報入力部
１１    情報抽出部
１２    認証処理部
【図１】
0004962297.tif 000002
【図２】
0004962297.tif 000003
【図３】
0004962297.tif 000004
【図４】
0004962297.tif 000005
【図５】
0004962297.tif 000006
【図６】
0004962297.tif 000007
【図７】
0004962297.tif 000008
【図８】
0004962297.tif 000009
【図９】
0004962297.tif 000010
【図１０】
0004962297.tif 000011
【図１１】
0004962297.tif 000012
【図１２】
0004962297.tif 000013
【図１３】
0004962297.tif 000014